(57)【特許請求の範囲】
【請求項１】
自他を識別する端末特定情報が夫々付与されているとともに他の端末の端末特定情報が登録されているアドレス帳テーブルを夫々格納している複数の端末と通信可能なサーバコンピュータに実行させる端末情報管理方法であって、
前記端末のユーザがその端末特定情報を更新した場合に、更新前の端末特定情報と更新後の端末特定情報とを関連づけた更新テーブルを取得して記憶する更新内容取得手順と、
前記更新内容取得手順により前記更新テーブルを取得して記憶した後、何れかの前記端末が前記サーバコンピュータにアクセスした時に、当該端末に格納されている他の端末の端末特定情報を登録したアドレス帳テーブルを取得するアドレス帳取得手順と、
前記アドレス帳取得手順で取得されたアドレス帳テーブルに登録された他の端末の端末特定情報が、前記更新内容取得手順において取得された更新テーブルに更新前の端末特定情報として登録されていた場合に、当該更新前の端末特定情報と関連づけられた更新後の端末特定情報を、前記アドレス帳テーブルを取得した端末へ通知する通知手順とを
含むことを特徴とする端末情報管理方法。
【請求項２】
前記アドレス帳取得手順において取得されたアドレス帳テーブルに登録された他の端末の端末特定情報が、前記更新内容取得手順で取得された更新テーブルに更新前の端末特定情報として登録されていた場合に、当該更新前の端末特定情報と関連づけられた更新後の端末特定情報を、前記アドレス帳テーブルを格納した端末へ通知することの可否を判定する可否判定手順を、さらに含み、
前記通知手順は、前記可否判定手順において通知可と判定された場合にのみ実行される
ことを特徴とする請求項１記載の端末情報管理方法。
【請求項３】
前記可否判定手順は、前記更新前の端末特定情報に該当するユーザの端末に対して、通知の可否を問い合わせることにより、通知の可否を判定する
ことを特徴とする請求項２記載の端末情報管理方法。
【請求項４】
前記可否判定手順は、更新テーブルを登録したユーザが登録しておいた通知の許可を示す通知許可情報が存在する場合に、通知可と判定する
ことを特徴とする請求項２記載の端末情報管理方法。
【請求項５】
前記アドレス帳テーブルを格納した端末及びこのアドレス帳テーブルに登録された他の端末に関する前記通知手順もしくは前記可否判定手順の実行履歴を記録する履歴記録手順を、さらに備え、
前記通知手順および前記可否判定手順は、アドレス帳テーブルを格納した端末及びこのアドレス帳テーブルに登録された他の端末に関する前記実行履歴が存在しない場合にのみ、実行される
ことを特徴とする請求項２乃至４のいずれかに記載の端末情報管理方法。
【発明の詳細な説明】
【０００１】
【発明の属する技術分野】
本発明は、携帯電話機等の各種端末の電話番号やメールアドレスを管理する端末情報管理方法に、関する。
【０００２】
【従来の技術】
近年、携帯電話機が普及してきており、その市場には、新しい機能が追加された新型機種が、続々と投入されている。このため、ユーザは、携帯電話機の耐用期間よりもはるかに短い期間で新型機種を購入し、旧型機種を新型機種に切り換えることが、一般的である。この新型機種への切り換えの際に、契約相手の通信会社が変わらなければ、ユーザは、それまで使用していた電話番号およびメールアドレスを、引き続き使用することができる。即ち、それまで使用されていた旧型機種の電話番号およびメールアドレスが、新型機種の電話番号として登録される。
【０００３】
しかし、新型機種への切り換えの際に、契約相手の通信会社が変わる場合には、旧型機種の電話番号およびメールアドレスを新型機種に引き継ぐことができない。即ち、機種の切り換えに伴い、新型機種には、旧型機種とは異なる電話番号およびメールアドレスが付与されることになる。
【０００４】
なお、ユーザは、電話をかける頻度の高い相手先の電話番号やメールアドレスを、携帯電話機の記憶部内に設けられた電子的なアドレス帳に、登録していることが多い。そして、機種の切り換えの際に、このアドレス帳に登録されている相手先に対して、電話番号およびメールアドレスの変更を自動通知するサービスが、提案されている。この通知を受けた人は、当該ユーザの電話番号およびメールアドレスが変更されたことを、知ることができる。
【０００５】
【発明が解決しようとする課題】
しかしながら、上記の電話番号の変更の通知を受けていない人は、当該ユーザの電話番号が変更されたことを、知ることができない。即ち、機種変更をしようとしているユーザのアドレス帳に登録された相手先以外の人に対しては、変更の通知がなされないので、これらの人は、当該ユーザの電話番号およびメールアドレスの変更を知ることができない。また、全ての人に電話番号およびメールアドレスの変更を通知してしまうと、いたずら電話や迷惑メールの被害にあうため、全ての人には電話番号およびメールアドレスの変更を知られたくない。
【０００６】
そこで、携帯電話等の端末のアドレス帳に登録されている相手先以外の人に対しても、自端末を特定する情報である電話番号やメールアドレス等の変更を許可した相手にだけ通知可能とする端末情報管理方法を提供することを、本発明の課題とする。
【０００７】
【課題を解決するための手段】
本発明による端末情報管理方法は、上記課題を解決するために、以下のような構成を採用した。
【０００８】
即ち、この端末情報管理方法は、自他を識別する端末特定情報が夫々付与された複数の端末と接続可能であるとともに少なくとも一対の前記端末同士を通信させることが可能なサーバコンピュータに、以下の複数の手順を実行させることを特徴としている。
【０００９】
これらの手順は、前記端末のユーザが、その端末特定情報を更新した場合に、更新前の端末特定情報と更新後の端末特定情報とを関連づけた更新テーブルを取得する更新内容取得手順と、前記各端末に個別に格納されるとともに他の端末の端末特定情報を登録したアドレス帳テーブルを、取得するアドレス帳取得手順と、前記アドレス帳取得手順で取得されたアドレス帳テーブルに登録された他の端末の端末特定情報が、前記更新内容取得手順で取得された更新テーブルに更新前の端末特定情報として登録されていた場合に、当該更新前の端末特定情報と関連づけられた更新後の端末特定情報を、前記アドレス帳テーブルを格納した端末へ通知する通知手順とから、少なくとも構成されている。
【００１０】
このように構成されると、ある端末のユーザが、端末特定情報を更新した場合に、この端末特定情報をアドレス帳テーブルに登録した端末に対して、更新後の端末特定情報が通知される。
【００１１】
【発明の実施の形態】
以下、図面に基づいて本発明の一実施形態を説明する。図１は、本実施形態の全体構成を示す模式図である。携帯電話機等の端末１ａ，１ｂは、夫々、そのユーザが契約している通信会社のサーバ装置２ａ，２ｂと無線で接続されることにより、他の電話機（固定電話機，携帯電話機等の端末）と通信可能になる。なお、両サーバ装置２ａ，２ｂは、通信回線を介して互いに接続されている。
【００１２】
具体的には、第１の端末１ａが、第１の通信会社が運営している第１のサーバ装置２ａと接続され、第２の端末１ｂが、第２の通信会社が運営している第２のサーバ装置２ｂと接続された状態で、両サーバ装置２ａ，２ｂ同士が通信することにより、両端末１ａ，１ｂは、互いに通話可能となる。
【００１３】
＜端末＞
図２は、端末１ａの構成を模式的に示すブロック図である。なお、第２の端末１ｂは、この第１の端末１ａと同様に構成されている。この図２に示されるように、端末１ａは、表示部１１，入力部１２，マイク１３，スピーカ１４，及び制御部１５を、備えている。表示部１１は、液晶ディスプレイを備えており、その画面に文字やイメージを表示する。入力部１２は、テンキー及び操作キーを備えており、ユーザからの入力操作を受け入れる。マイク１３及びスピーカ１４は、ユーザの送受話に用いられる。これら表示部１１，入力部１２，マイク１３，及びスピーカ１４は、夫々、制御部１５に接続されている。
【００１４】
制御部１５は、送受信回路１６及びメモリ１７を備えている。送受信回路１６は、無線によるデータの送受信を実行する回路である。メモリ１７には、アドレス帳テーブル１８が記憶されている。
【００１５】
図３は、アドレス帳テーブル１８を示す模式図である。ユーザは、自分の端末１ａ（，１ｂ）に、複数の相手先の氏名，電話番号，及びメールアドレスを、登録しておくことができる。具体的には、１人分のデータが、アドレス帳テーブル１８の１レコードとして、登録される。この登録後、ユーザは、登録した相手先と通信する場合に、アドレス帳テーブル１８における所望のレコードを選択するだけで、当該相手先の電話番号やメールアドレスを指定することができる。
【００１６】
このアドレス帳テーブル１８は、「氏名」，「電話番号」及び「メールアドレス」のフィールドの他に、「通知許可設定」のフィールドを有している。この「通知許可」のフィールドには、ユーザの電話番号やメールアドレスが変更された場合に、当該変更内容を「氏名」のフィールドに対応する相手先に通知してよいかどうかを示す情報が、格納されている。なお、この通知は、後述する自動更新サービスにより実行される。
【００１７】
さらに、端末１ａのメモリ１７における図示せぬ領域には、自身の電話番号及びメールアドレスが、格納されている。そして、端末１ａは、自身の電話番号又はメールアドレスと、所望の端末１ｂの電話番号又はメールアドレスとを、サーバ装置１ａへ送信することにより、このサーバ装置１ａを介して、端末１ｂと通信することができる。
【００１８】
＜サーバ装置＞
図４は、サーバ装置２ａの構成を模式的に示すブロック図である。このサーバ装置（サーバコンピュータ）２ａは、制御部２１，送受信回路２２，及び記憶部２３を、備えている。制御部２１は、送受信回路２２及び記憶部２３と、夫々接続されている。送受信回路２２は、端末１ａのサービスエリア内に複数分散設置されている地上局を含み、該地上局を介して端末１ａとデータの送受信を実行する。記憶部２３は、例えば、ハードディスクから構成されている。この記憶部２３には、ユーザテーブル２４，更新テーブル２５，及び履歴テーブル２６が、格納されている。
【００１９】
なお、第２のサーバ装置２ｂは、第１のサーバ装置２ａと同様に構成されている。さらに、両サーバ装置２ａ，２ｂの記憶部２３に夫々格納された更新テーブル２５は、互いに同一である。そして、両サーバ装置２ａ，２ｂの一方の更新テーブル２５が更新された場合には、これら両サーバ装置２ａ，２ｂ同士が通信することにより、他方の更新テーブル２５も、同様に更新される。但し、両サーバ装置２ａ，２ｂの記憶部２３には、いずれも、個別のユーザテーブル２４及び履歴テーブル２６が、格納されている。
【００２０】
図５は、ユーザテーブル２４を示す模式図である。このユーザテーブル２５は、サーバ装置２ａを運営する通信会社と契約しているユーザ毎に設けられた複数のレコードを、有している。そして、このユーザテーブル２４は、「氏名」，「電話番号」，「メールアドレス」及び「課金情報」のフィールドを、備えている。
【００２１】
図６は、更新テーブル２５を示す模式図である。この更新テーブル２５は、複数のレコードを有している。これら各レコードには、いずれも、ユーザの電話番号やメールアドレスが変更された場合における当該変更内容が、記録されている。これら電話番号及びメールアドレスは、端末特定情報と総称される。例えば、ユーザが、新型の端末１ａを購入したことにより、新しい電話番号やメールアドレスを取得すると、端末特定情報の変更内容が、１つのレコードとして更新テーブル２５に追加される。
【００２２】
この更新テーブル２５は、「氏名」，「新電話番号」，「旧電話番号」，「新メールアドレス」，「旧メールアドレス」，「登録日時」及び「更新期限」のフィールドを、備えている。
【００２３】
「氏名」のフィールドには、電話番号又はメールアドレスに変更のあったユーザの氏名が格納されている。そして、このユーザの「新電話番号」，「旧電話番号」，「新メールアドレス」及び「旧メールアドレス」が、夫々該当するフィールドに格納されている。「登録日時」のフィールドには、当該レコードが作成された日時が格納されている。「更新期限」のフィールドには、後述する自動更新サービスの提供期間満了の日時が、格納されている。
【００２４】
図７は、履歴テーブル２６を示す模式図である。この履歴テーブル２６は、「通信先電話番号」，「通信先メールアドレス」，「通信元電話番号」，「通信元メールアドレス」及び「アクセス日時」のフィールドを、備えている。「通信先電話番号」及び「通信先メールアドレス」のフィールドには、夫々、後述する自動更新サービスの提供を受けるユーザの電話番号及びメールアドレスが、格納されている。「通信元電話番号」及び「通信元メールアドレス」のフィールドには、夫々、対応する「通信先電話番号」及び「通信先メールアドレス」の各フィールドに夫々電話番号及びメールアドレスが格納されているユーザの情報を自身の端末１ａ，１ｂのアドレス帳テーブル１８に通信先として登録している人（通信元）の電話番号及びメールアドレスが、格納されている。「アクセス日時」のフィールドには、通信元からの発呼によって任意の相手との通信がなされた日時が、格納されている。なお、この履歴テーブル２６のレコードは、後述する図９の１０８の処理において、通信先及び通信元の組に対応させて、作成される。
【００２５】
＜自動更新サービス＞
ユーザは、自身の端末１ａ，１ｂの電話番号又はメールアドレスが更新された場合に、通信会社のサーバ装置２ａ，２ｂに当該更新内容を登録することにより、有償で、自動更新サービスを利用することができる。この自動更新サービスは、あるユーザの端末１ａの電話番号又はメールアドレスが更新された場合に、このユーザの更新前の電話番号又はメールアドレスがそのアドレス帳テーブル１８に登録されている別のユーザの端末１ｂに、当該更新内容を通知するサービスである。
【００２６】
なお、以下の説明は、あるユーザが、新しい端末１ａを購入したため、それまで契約していた通信会社との契約を終了し、第１の通信会社と契約することになった場合の例を用いて、行われる。この契約関係の変更により、ユーザの電話番号及びメールアドレスが、更新されるものとする。
【００２７】
図８は、更新内容の登録処理を示すフローチャートである。ユーザが、電話番号又はメールアドレスの更新内容を登録して自動更新サービスを申し込むために端末１ａをサーバ装置２ａに接続させて所定のコマンドを送信すると、このサーバ装置２ａは、図８のフローチャートの処理を開始する。なお、端末１ａは、サーバ装置２ａと接続されたときに、自身の電話番号をサーバ装置２ａに通知する。即ち、サーバ装置２ａは、接続している端末１ａの電話番号を知ることができる。
【００２８】
開始後最初のＳ００１では、サーバ装置２ａは、ユーザテーブル２４を参照し、接続された端末１ａの電話番号を含んだレコードを、特定する。
【００２９】
次のＳ００２では、サーバ装置２ａは、更新前の端末特定情報を取得する。具体的には、サーバ装置２ａは、端末１ａの表示部１１に、更新前の「旧電話番号」，及び「旧メールアドレス」をユーザに入力させるためのガイダンスを、表示させる。すると、ユーザは、このガイダンスに従って、端末１ａの入力部１２を操作することにより、「旧電話番号」，及び「旧メールアドレス」を入力して、サーバ装置２ａに通知する。なお、ガイダンスは、スピーカ１４を通じた音声ガイダンスであってもよい。
【００３０】
次のＳ００３では、サーバ装置２ａは、更新テーブル２５に新規のレコードを登録する。具体的には、サーバ装置２ａは、ユーザテーブル２４におけるＳ００１で特定したレコードの「氏名」，「電話番号」及び「メールアドレス」の各フィールドの内容を、更新テーブル２５の新規レコードにおける「氏名」，「新電話番号」，「新メールアドレス」の各フィールドに夫々格納する。さらに、サーバ装置２ａは、Ｓ００２で取得した「旧電話番号」，及び「旧メールアドレス」を、更新テーブル２５の新規レコードにおける「旧電話番号」，及び「旧メールアドレス」の各フィールドに夫々格納する。なお、更新テーブル２５の新規レコードにおける「登録日時」には、当該新規レコードが登録された時点の日時が格納される。また、更新テーブル２５の新規レコードにおける「更新期限」には、「登録日時」から所定のサービス提供期間が経過した後の日時が格納される。
【００３１】
次のＳ００４では、サーバ装置２ａは、その旧電話番号に対応した通信会社が運営する他のサーバ装置２ｂに、更新テーブル２５の新規レコードを通知する。すると、サーバ装置２ｂは、自身の更新テーブル２５に当該新規レコードを追加する。このため、各サーバ装置２ａ，２ｂの更新テーブル２５は、常に同一に保たれる。
【００３２】
次のＳ００５では、サーバ装置２ａは、ユーザテーブル２４におけるＳ００１で特定したレコードの「課金情報」に、自動更新サービスの費用を登録し、処理を終了する。ユーザは、この費用を支払うことにより、更新テーブル２５における「登録日時」から「更新期限」までの間、自動更新サービスの提供を受けることができる。
【００３３】
なお、各サーバ装置２ａ，２ｂは、夫々、更新テーブル２５の各レコードのうち、「更新期限」が過ぎたものを削除する処理を、定期的に実行している。このため、更新テーブル２５には、「更新期限」が過ぎていないレコードのみが、含まれている。
【００３４】
上記の図８のフローチャートの処理により、更新テーブル２５に、端末１ａのユーザのレコードが登録されると、その「更新期限」が過ぎるまで、当該端末１ａに対して、自動更新サービスが提供される。具体的には、更新テーブル２５に第１の端末１ａのレコードが登録された後、第２の端末１ｂがサーバ装置２ｂにアクセスしたときに、サーバ装置２ｂは、図９のフローチャートの処理を開始することにより、自動更新サービスを提供する。なお、サーバ装置２ｂは、端末１ｂが通話（通信）のためにアクセスしてきた場合に、当該端末１ｂが要求する通話（呼）を成立させながら、この通話の処理と並行して、図９のフローチャートの処理を実行する。
【００３５】
この図９のフローチャートの開始後最初のＳ１０１では、サーバ装置２ｂは、接続された端末１ｂから、アドレス帳テーブル１８を取得する。
【００３６】
次のＳ１０２では、サーバ装置２ｂは、Ｓ１０１で取得した端末１ｂのアドレス帳テーブル１８と更新テーブル２５とを比較する。具体的には、サーバ装置２ｂは、端末１ｂのアドレス帳テーブル１８の各レコードのうちに、更新テーブル２５のいずれかのレコードに含まれる「旧電話番号」又は「旧メールアドレス」と一致する「電話番号」又は「メールアドレス」を含んだレコードがあれば、当該レコードを処理候補として抽出するとともに、抽出した処理候補のレコードのうちの１つを、処理対象として指定する。
【００３７】
次のＳ１０３では、サーバ装置２ｂは、Ｓ１０２の処理によって端末１ｂのアドレス帳テーブル１８内に該当するレコードが見つかったか否かをチェックする。そして、該当するレコードが見つかった場合に、処理をＳ１０４へ進め、それ以外の場合には、処理を終了する。
【００３８】
Ｓ１０４では、サーバ装置２ｂは、履歴テーブル２６を参照し、その「通信先電話番号」又は「通信先メールアドレス」の各フィールドの内容が処理対象レコードにおける「電話番号」又は「メールアドレス」の各フィールドの内容と一致しているとともに、「通信元電話番号」又は「通信元メールアドレス」の各フィールドの内容が端末１ｂの電話番号又はメールアドレスと一致したレコードが存在しているか否かをチェックする。そして、該当するレコードが存在している場合に、履歴ありと判別して処理を終了し、それ以外の場合には、処理をＳ１０５へ進める。
【００３９】
Ｓ１０５では、サーバ装置２ｂは、サーバ装置２ａを介して、処理対象レコードにおける「電話番号」が付与された端末１ａと通信し、この端末１ａに対して、当該端末１ａの電話番号又はメールアドレスの更新内容を端末１ｂに通知してよいかどうかを、問い合わせる。すると、端末１ａは、図１０を参照して後述する処理を実行することにより、通知の可否を、サーバ装置２ｂへ回答する。
【００４０】
次のＳ１０６では、サーバ装置２ｂは、Ｓ１０５にて端末１ａから通知可の回答を取得している場合には、処理をＳ１０７へ進め、それ以外の場合には、処理をＳ１０８へ進める。
【００４１】
Ｓ１０７では、サーバ装置２ｂは、端末１ｂのアドレス帳テーブルを更新する。具体的には、サーバ装置２ｂは、端末１ｂと通信して該端末１ｂに予め格納されたデータ更新プログラムを起動させることにより、この端末１ｂのアドレス帳テーブル１８における処理対象レコードの「電話番号」及び「メールアドレス」の各フィールドに、更新テーブル２５の「新電話番号」及び「新メールアドレス」の各フィールドの内容を上書きさせる。
【００４２】
Ｓ１０８では、サーバ装置２ｂは、履歴テーブル２６に新規のレコードを追加する。具体的には、サーバ装置２ｂは、「通信先電話番号」及び「通信先メールアドレス」の各フィールドに処理対象レコードにおける電話番号及びメールアドレスが格納されているとともに「通信元電話番号」及び「通信元メールアドレス」の各フィールドに端末１ｂの電話番号及びメールアドレスが格納されているレコードを作成して、履歴テーブル２６に登録する。なお、この新規のレコードにおける「アクセス日時」には、当該新規レコードが作成された時点の日時が格納される。この履歴テーブル２６への登録がなされると、処理対象レコードは処理済となる。
【００４３】
次のＳ１０９では、サーバ装置２ｂは、Ｓ１０２で抽出した処理候補レコードに、処理済でないものがあるか否かをチェックする。そして、処理済でない処理候補レコードが残っている場合には、処理をＳ１１０へ進める。
【００４４】
Ｓ１１０では、サーバ装置２ｂは、Ｓ１０２で抽出した処理候補レコードのうちの処理済でないものの１つを、処理対象レコードとして指定し直した後、処理をＳ１０４に戻す。
【００４５】
これに対して、上述したＳ１０４乃至Ｓ１１０の処理ループを繰り返した結果として、全ての処理候補レコードが処理済となったとＳ１０９にて判断した場合には、サーバ装置２ｂは、処理をＳ１１１へ進める。
【００４６】
Ｓ１１１では、サーバ装置２ｂは、端末１ｂの表示部１１に、処理結果を表示させる。具体的には、Ｓ１０７でアドレス帳テーブルが更新されていれば、その更新内容を表示させる。更新内容の表示後、処理は終了する。なお、この図９の処理の終了後も、サーバ装置２ｂは端末１ｂとの接続を維持する。その後、端末１ｂのユーザが、所望の通話を終了した時点で、端末１ｂとサーバ装置２ｂとの接続が終了する。通話の終了後、ユーザは、端末１ｂの表示部１１を見て、処理結果を知ることができる。
【００４７】
図１０は、端末１ａによる通知の可否の判定処理を示すフローチャートである。上記図９のＳ１０５にて、サーバ装置２ｂが、第１の端末１ａに対して、当該端末１ａの電話番号又はメールアドレスの更新内容を第２の端末１ｂ（通知相手）に通知してよいかどうか問い合わせると、第１の端末１ａは、予めインストールされたプログラムを起動して、図１０のフローチャートを開始する。
【００４８】
開始後最初のＳ２０１では、端末１ａは、サーバ装置２ｂから、通知相手の端末１ｂの電話番号，メールアドレス，及びそのユーザの氏名を取得する。
【００４９】
次のＳ２０２では、端末１ａは、自身のアドレス帳テーブル１８を参照し、このアドレス帳テーブル１８に、Ｓ２０１で取得した通知相手の電話番号又はメールアドレスが登録されているかどうかを、判別する。そして、端末１ａは、登録されている場合には処理をＳ２０３へ進め、登録されていない場合には処理をＳ２０６へ進める。
【００５０】
Ｓ２０３では、端末１ａは、自身のアドレス帳テーブル１８のレコードのうち、Ｓ２０１で取得した通知相手の電話番号又はメールアドレスを含むものを特定し、特定したレコードの「通知許可設定」フィールドの内容が“ＯＫ”である場合に、通知が許可されていると判別して処理をＳ２０４へ進め、“ＮＧ”である場合に、通知が拒否されていると判別して処理をＳ２０５へ進める。
【００５１】
Ｓ２０４では、端末１ａは、自身の新電話番号及び新メールアドレスを、端末１ｂに通知することを許可する旨を、サーバ装置２ａを介してサーバ装置２ｂに通知した後、処理を終了する。
【００５２】
Ｓ２０５では、端末１ａは、自身の新電話番号及び新メールアドレスを、端末１ｂに通知することを拒否する旨を、サーバ装置２ａを介してサーバ装置２ｂに通知した後、処理を終了する。
【００５３】
Ｓ２０６では、端末１ａは、Ｓ２０１で取得した通知相手の端末１ｂのユーザの氏名を、表示部１１に表示する。ユーザは、この表示を見て、当該通知相手の端末１ｂに対して、自身の新電話番号及び新メールアドレスを通知することの可否を判断し、その判断結果を入力部１２に入力する。
【００５４】
次のＳ２０７では、端末１ａは、Ｓ２０６にて通知を許可する旨が入力された場合に、処理をＳ２０８へ進め、それ以外の場合には処理をＳ２０９へ進める。
【００５５】
Ｓ２０８では、端末１ａは、自身の新電話番号及び新メールアドレスを、端末１ｂに通知することを許可する旨を、サーバ装置２ａを介してサーバ装置２ｂに通知した後、処理を終了する。
【００５６】
Ｓ２０９では、端末１ａは、自身の新電話番号及び新メールアドレスを、端末１ｂに通知することを拒否する旨を、サーバ装置２ａを介してサーバ装置２ｂに通知した後、処理を終了する。
【００５７】
上述のように、この自動更新サービスは、ある端末１ａの旧電話番号又は旧メールアドレスをアドレス帳テーブル１８に登録している端末１ｂがサーバ装置２ｂにアクセスしてきたときに、この端末１ｂに対して、端末１ａの新電話番号又は新メールアドレスを自動的又は略自動的に通知することができる。従って、電話番号又はメールアドレスの変更に伴うユーザの手間が軽減される。このため、ユーザは、新型機種購入の際に、電話番号又はメールアドレス変更を厭わずに、通信会社を自由に選択することができる。但し、この自動更新サービスは、ユーザが許可した相手に対してのみ新電話番号又は新メールアドレスを通知するので、ストーカーやスパムメールによる被害を防止することができる。
【００５８】
（付記１）  自他を識別する端末特定情報が夫々付与された複数の端末と通信可能なサーバコンピュータに実行させる端末情報管理方法であって、
前記端末のユーザがその端末特定情報を更新した場合に、更新前の端末特定情報と更新後の端末特定情報とを関連づけた更新テーブルを取得する更新内容取得手順と、
前記各端末に格納されている他の端末の端末特定情報を登録したアドレス帳テーブルを取得するアドレス帳取得手順と、
前記アドレス帳取得手順で取得されたアドレス帳テーブルに登録された他の端末の端末特定情報が、前記更新内容取得手順において取得された更新テーブルに更新前の端末特定情報として登録されていた場合に、当該更新前の端末特定情報と関連づけられた更新後の端末特定情報を、前記アドレス帳テーブルを格納した端末へ通知する通知手順とを
含むことを特徴とする端末情報管理方法。
【００５９】
（付記２）  前記アドレス帳取得手順において取得されたアドレス帳テーブルに登録された他の端末の端末特定情報が、前記更新内容取得手順で取得された更新テーブルに更新前の端末特定情報として登録されていた場合に、当該更新前の端末特定情報と関連づけられた更新後の端末特定情報を、前記アドレス帳テーブルを格納した端末へ通知することの可否を判定する可否判定手順を、さらに含み、
前記通知手順は、前記可否判定手順において通知可と判定された場合にのみ実行される
ことを特徴とする付記１記載の端末情報管理方法。
【００６０】
（付記３）  前記可否判定手順は、前記更新前の端末特定情報に該当するユーザの端末に対して、通知の可否を問い合わせることにより、通知の可否を判定する
ことを特徴とする付記２記載の端末情報管理方法。
【００６１】
（付記４）  前記可否判定手順は、更新テーブルを登録したユーザが登録しておいた通知の許可を示す通知許可情報が存在する場合に、通知可と判定する
ことを特徴とする付記２記載の端末情報管理方法。
【００６２】
（付記５）  前記アドレス帳テーブルを格納した端末及びこのアドレス帳テーブルに登録された他の端末に関する前記通知手順もしくは前記可否判定手順の実行履歴を記録する履歴記録手順を、さらに備え、
前記通知手順および前記可否判定手順は、アドレス帳テーブルを格納した端末及びこのアドレス帳テーブルに登録された他の端末に関する前記実行履歴が存在しない場合にのみ、実行される
ことを特徴とする付記２乃至４のいずれかに記載の端末情報管理方法。
【００６３】
（付記６）  前記アドレス帳取得手順は、前記端末が前記サーバコンピュータにアクセスしたときに、実行される
ことを特徴とする付記１乃至５のいずれかに記載の端末情報管理方法。
【００６４】
（付記７）  自他を識別する端末特定情報が夫々付与された複数の端末と通信可能なサーバコンピュータに実行させる端末情報管理プログラムであって、
前記端末のユーザがその端末特定情報を更新した場合に、更新前の端末特定情報と更新後の端末特定情報とを関連づけた更新テーブルを取得する更新内容取得手順と、
前記各端末に格納されている他の端末の端末特定情報を登録したアドレス帳テーブルを取得するアドレス帳取得手順と、
前記アドレス帳取得手順で取得されたアドレス帳テーブルに登録された他の端末の端末特定情報が、前記更新内容取得手順において取得された更新テーブルに更新前の端末特定情報として登録されていた場合に、当該更新前の端末特定情報と関連づけられた更新後の端末特定情報を、前記アドレス帳テーブルを格納した端末へ通知する通知手順とを
前記サーバコンピュータに実行させることを特徴とする端末情報管理プログラム。
【００６５】
（付記８）  自他を識別する端末特定情報が夫々付与された複数の端末と通信可能なサーバコンピュータにおいて、
前記端末のユーザがその端末特定情報を更新した場合に、更新前の端末特定情報と更新後の端末特定情報とを関連づけた更新テーブルを取得する更新内容取得手順と、前記各端末に格納されている他の端末の端末特定情報を登録したアドレス帳テーブルを取得するアドレス帳取得手順と、前記アドレス帳取得手順で取得されたアドレス帳テーブルに登録された他の端末の端末特定情報が、前記更新内容取得手順において取得された更新テーブルに更新前の端末特定情報として登録されていた場合に、当該更新前の端末特定情報と関連づけられた更新後の端末特定情報を、前記アドレス帳テーブルを格納した端末へ通知する通知手順とを、前記サーバコンピュータに実行させるプログラムを
備えたことを特徴とする端末情報管理装置。
【００６６】
【発明の効果】
以上のように構成された本発明の端末情報管理方法によると、端末のアドレス帳テーブルに登録された他の端末の端末特定情報が、当該端末特定情報の変更に伴って使用不可となった場合に、前記アドレス帳テーブルを格納した端末に対して、新しい端末特定情報が通知される。従って、端末特定情報が変更された場合のユーザの手間が軽減される。
【図面の簡単な説明】
【図１】  本発明の一実施形態の全体構成を示す模式図
【図２】  端末の構成を模式的に示すブロック図
【図３】  アドレス帳テーブルを示す模式図
【図４】  サーバ装置の構成を模式的に示すブロック図
【図５】  ユーザテーブルを示す模式図
【図６】  更新テーブルを示す模式図
【図７】  履歴テーブルを示す模式図
【図８】  更新内容の登録処理を示すフローチャート
【図９】  自動更新サービスを提供する処理を示すフローチャート
【図１０】  通知の可否の判定処理を示すフローチャート
【符号の説明】
１ａ，１ｂ  端末
１１    表示部
１２    入力部
１５    制御部
１７    メモリ
１８    アドレス帳テーブル
２ａ，２ｂ  サーバ装置
２１    制御部
２３    記憶部
２４    ユーザテーブル
２５    更新テーブル
２６    履歴テーブル
【図１】
0003965059.tif 000002
【図２】
0003965059.tif 000003
【図３】
0003965059.tif 000004
【図４】
0003965059.tif 000005
【図５】
0003965059.tif 000006
【図６】
0003965059.tif 000007
【図７】
0003965059.tif 000008
【図８】
0003965059.tif 000009
【図９】
0003965059.tif 000010
【図１０】
0003965059.tif 000011